(57)【要約】【課題】  容易な操作により包装の解体から硬貨の取出まで全てを行えるようにして利便性及び使い勝手を高めるとともに、単純操作により目的の硬貨を速やかに得れるようにする。【解決手段】  棒金Ｍの包装Ｗを解体して硬貨Ｃ…を取出す棒金用包装解体装置１を構成するに際して、処理位置Ｘｓにセットした棒金Ｍを回転させる棒金回転手段２と、この棒金回転手段２により回転する棒金Ｍの両端における包装封止部Ｗｐ，Ｗｑを所定の周面位置Ｋｐ，Ｋｑでそれぞれ切断する包装封止部切断手段３と、包装封止部Ｗｐ，Ｗｑを切断した後の包装残部Ｗｒを棒金Ｍから除去する包装残部除去手段４を備える。【選択図】  図１
2005346620.tif 000002
【特許請求の範囲】
【請求項１】
棒金の包装を解体して硬貨を取出す棒金用包装解体装置において、処理位置にセットした棒金を回転させる棒金回転手段と、この棒金回転手段により回転する棒金の両端における包装封止部を所定の周面位置でそれぞれ切断する包装封止部切断手段と、前記包装封止部を切断した後の包装残部を棒金から除去する包装残部除去手段を備えることを特徴とする棒金用包装解体装置。
【請求項２】
前記棒金回転手段は、棒金を支持する複数の下ローラ部を有する下ローラ機構と、この下ローラ機構に支持された棒金を上から押さえる上ローラ部を有する上ローラ機構と、各ローラ部の少なくとも一つを所定方向に回転させる回転駆動機構を備えることを特徴とする請求項１記載の棒金用包装解体装置。
【請求項３】
前記回転駆動機構は、操作レバーの手動回動操作により前記ローラ部を回転させる手動回転機構であることを特徴とする請求項２記載の棒金用包装解体装置。
【請求項４】
前記上ローラ機構は、前記回転駆動機構の非動作時に前記上ローラ部を上方のリリース位置に自動で変位させるローラリリース機構を備えることを特徴とする請求項２記載の棒金用包装解体装置。
【請求項５】
前記包装封止部切断手段は、前記処理位置にセットされた棒金の周面に対して、所定角度で傾斜し、かつ圧接するカッタを備えることを特徴とする請求項１記載の棒金用包装解体装置。
【請求項６】
前記包装残部除去手段は、前記棒金回転手段により回転する棒金から繰り出される包装残部をガイドするスクレーパを備えることを特徴とする請求項１記載の棒金用包装解体装置。
【発明の詳細な説明】
【技術分野】
【０００１】
本発明は、棒金（包装硬貨）の包装を解体して硬貨を取出す際に用いて好適な棒金用包装解体装置に関する。
【背景技術】
【０００２】
一般に、多数の硬貨は、保管や取引等を円滑にするため、一定枚数を積層した状態で包装することが多い。このような包装硬貨は、棒金と呼ばれ、包装する際には、積層した硬貨を一枚の紙材により巻寿司状に包むとともに、両端部を内側にカール（湾曲）している。ところで、このような棒金の包装は、容易に破れないように、ある程度の強度が確保されているため、硬貨を取り出す際に包装を解くが容易でなく、通常、棒金の中間位置にカッターにより切り込みを入れ、この切り込みから棒金を二つに折って開封するとともに、その開封した口からそれぞれ硬貨を取出しているのが実情である。
【０００３】
一方、このような手作業による開封方法に代えた棒金開封装置も、特開２００２−３２８５１号公報で提案されている。この棒金開封装置は、棒金挿入用ガイド穴とこのガイド穴に対応して設けられたカッター取付穴とが形成された装置本体と、カッター取付穴に挿入されるカッター取付部材と、このカッター取付部材に支持されるカッターとを備え、ガイド穴の空間断面積を、棒金の断面積よりも大きく形成し、カッターを当該カッターの刃部がガイド穴の空洞部に突出するように配設したものであり、棒金の開封作業を容易に行うことができ、かつ小型でＰＯＳ端末等の金銭計算機に組み込むことができる。
【特許文献１】特開２００２−３２８５１号
【発明の開示】
【発明が解決しようとする課題】
【０００４】
しかし、上述した従来の棒金開封装置は、次のような問題点があった。
【０００５】
第一に、金銭計算機に組み込むことができるため、カッターを単独で用意する必要がない利点はあるものの、棒金に対する開封作業の容易化はほとんど改善されない。むしろ、ガイド穴に棒金を挿入する点、固定されたカッターに対して棒金を動かす必要がある点、カッターが見えない点等において使いにくく、利便性及び使い勝手に劣る。
【０００６】
第二に、棒金に対する切り込み手法が異なる点を除き、基本的には、切り込みから棒金を二つに折って開封し、その開封した口からそれぞれ硬貨を取出す一般的な手作業による方法と何ら変わらないため、簡易な開封操作により速やかに硬貨を得たいという要求に応えることができない。
【０００７】
本発明は、このような背景技術に存在する課題を解決した棒金用包装解体装置の提供を目的とするものである。
【課題を解決するための手段】
【０００８】
本発明は、上述した課題を解決するため、棒金Ｍの包装Ｗを解体して硬貨Ｃ…を取出す棒金用包装解体装置１を構成するに際して、処理位置Ｘｓにセットした棒金Ｍを回転させる棒金回転手段２と、この棒金回転手段２により回転する棒金Ｍの両端における包装封止部Ｗｐ，Ｗｑを所定の周面位置Ｋｐ，Ｋｑでそれぞれ切断する包装封止部切断手段３と、包装封止部Ｗｐ，Ｗｑを切断した後の包装残部Ｗｒを棒金Ｍから除去する包装残部除去手段４を備えることを特徴とする。
【０００９】
この場合、発明の好適な態様により、棒金回転手段２は、棒金Ｍを支持する複数の下ローラ部１１ａ，１１ｂを有する下ローラ機構１１と、この下ローラ機構１１に支持された棒金Ｍを上から押さえる上ローラ部１２ｒを有する上ローラ機構１２と、各ローラ部１１ａ，１１ｂ，１２ｒの少なくとも一つを所定方向に回転させる回転駆動機構１３により構成できる。なお、この回転駆動機構１３は、操作レバー１４の手動回動操作によりローラ部１１ａ…を回転させる手動回転機構１３ｍにより構成できるとともに、上ローラ機構１２には、回転駆動機構１３の非動作時に上ローラ部１２ｒを上方のリリース位置Ｘｒに自動で変位させるローラリリース機構１５を設けることができる。一方、包装封止部切断手段３には、処理位置Ｘｓにセットされた棒金Ｍの周面Ｍｆに対して、所定角度Ｒｓで傾斜し、かつ圧接するカッタ１６ｐ，１６ｑを用いることができるとともに、包装残部除去手段４には、棒金回転手段２により回転する棒金Ｍから繰り出される包装残部Ｗｒをガイドするスクレーパ１７ｐ，１７ｑを用いることができる。
【発明の効果】
【００１０】
このような構成を有する本発明に係る棒金用包装解体装置１によれば、次のような顕著な効果を奏する。
【００１１】
（１）  棒金Ｍを処理位置Ｘｓにセットし、例えば、操作レバー１４の手動回動操作を行うなどの極めて容易な操作により、包装Ｗの解体から硬貨Ｃ…の取出まで全てを行うことができ、利便性及び使い勝手に優れる。
【００１２】
（２）  単純操作により、硬貨Ｃ…を取出すまでの全てを行うことができるため、目的の硬貨Ｃ…を速やかに得ることができる。
【００１３】
（３）  好適な態様により、棒金回転手段２を、棒金Ｍを支持する複数の下ローラ部１１ａ…を有する下ローラ機構１１，棒金Ｍを上から押さえる上ローラ部１２ｒを有する上ローラ機構１２及び各ローラ部１１ａ…の少なくとも一つを回転させる回転駆動機構１３により構成すれば、比較的簡易な構成により、棒金Ｍを確実かつ円滑に回転させることができる。
【００１４】
（４）  好適な態様により、回転駆動機構１３を、操作レバー１４の手動回動操作により回転させる手動回転機構１３ｍにより構成すれば、構成の簡易化に加え、軽量小型化及び低コスト化に寄与できる。
【００１５】
（５）  好適な態様により、上ローラ機構１２に、回転駆動機構１３の非動作時に上ローラ部１２ｒを上方のリリース位置Ｘｒに自動で変位させるローラリリース機構１５を設ければ、棒体Ｍを処理位置Ｘｓに対して容易にセットすることができる。
【発明を実施するための最良の形態】
【００１６】
次に、本発明に係る最良の実施形態を挙げ、図面に基づき詳細に説明する。
【００１７】
まず、本実施形態に係る棒金用包装解体装置１の構成について、図１〜図５を参照して説明する。
【００１８】
棒金用包装解体装置１は、大別して、棒金回転手段２，包装封止部切断手段３及び包装残部除去手段４を備え、これら各手段２，３，４は、図２に仮想線で示すハウジング２１に収容されるとともに、図３に示す左右一対の鉛直シャーシ２２ｐ，２２ｑを用いて組付けられる。なお、ハウジング２１は、棒金Ｍの装填口２１ｉ，包装Ｗの解体により取出された硬貨Ｃ…が落下するトレイ部２１ｔ，包装残部Ｗｒが収容される包装残部収容部２１ｓ等を備えている。
【００１９】
一方、棒金回転手段２は、棒金Ｍを支持する一対の下ローラ部１１ａ，１１ｂを有する下ローラ機構１１と、この下ローラ機構１１に支持された棒金Ｍを上から押さえる上ローラ部１２ｒを有する上ローラ機構１２と、各ローラ部１１ａ，１１ｂ，１２ｒの少なくとも一つを所定方向に回転させる回転駆動機構１３を備える。この棒金回転手段２は、処理位置Ｘｓにセットした棒金Ｍを回転させる機能を有する。
【００２０】
この場合、下ローラ部１１ａと１１ｂは、水平方向に並べて配する。さらに、一方の下ローラ部１１ａは、鉛直シャーシ２２ｐと２２ｑ間に架設したシャフト３１及びこのシャフト３１に回動自在に取付けた左右一対のローラ１１ａｐ，１１ａｑを備えるとともに、他方の下ローラ部１１ｂは、鉛直シャーシ２２ｐと２２ｑ間に架設したシャフト３２及びこのシャフト３２に回動自在に取付けた左右一対のローラ１１ｂｐ，１１ｂｑ備える。なお、各ローラ１１ａｐ…，１１ｂｐ…の周面には、ゴム等の滑止部材を固着する。このような一対の下ローラ部１１ａ，１１ｂにおける上側の周面は、棒金Ｍを載置することができる処理位置Ｘｓとなる。
【００２１】
また、回転駆動機構１３は、操作レバー１４の手動回動操作により各下ローラ部１１ａ，１１ｂを回転させる手動回転機構１３ｍにより構成する。手動回転機構１３ｍは、図２及び図３に示すように、鉛直シャーシ２２ｐと２２ｑ間に回動自在に支持されるシャフト３３の右端（図３中左端）に固定した操作レバー１４と、シャフト３３の左端に固定した第一ギア部３４と、鉛直シャーシ２２ｐに回動自在に支持される小ギア部３５ｓ及び大ギア部３５ｍからなる第二ギア３５と、鉛直シャーシ２２ｐに回動自在に支持される第三ギア３６と、上述したシャフト３１に固定した第四ギア３７と、上述したシャフト３２に固定した第五ギア３８を有する。そして、第一ギア部３４と小ギア部３５ｓが噛合し、大ギア部３５ｍと第三ギア３６が噛合するとともに、第三ギア３６は第四ギア３７と第五ギア３８の双方に噛合する。
【００２２】
これにより、操作レバー１４を、図５に示す非操作位置Ｘｏから矢印Ｆｍ方向へ３０〜４０°となる操作終了位置Ｘｅまで回動変位させれば、操作レバー１４の回動変位量は、増幅されて下ローラ部１１ａ及び１１ｂに伝達され、下ローラ部１１ａと１１ｂの上に載置した棒金Ｍを所定方向（矢印Ｆｒ方向）に数回転させることができる。なお、図２中、矢印Ｆｄ方向は、この際における下ローラ部１１ａの回転方向を示す。また、操作レバー１４は、所定の回動範囲（３０〜４０°）が得られるように、不図示のストッパにより規制されるとともに、操作を解除した際は、不図示の戻しスプリングにより、操作開始位置Ｘｏまで自動で戻される。
【００２３】
さらに、上ローラ機構１２に備えるローラリリース機構１５は、鉛直シャーシ２２ｐと２２ｑ間に架設したシャフト３９により回動自在に支持される左右一対の支持ブラケット４０ｐ，４０ｑを備え、この支持ブラケット４０ｐと４０ｑの上側端部間に、シャフト４１を架設ことにより、このシャフト４１に、上ローラ部１２ｒを構成する左右一対のローラ１２ｒｐ，１２ｒｑを回動自在に取付けるとともに、支持ブラケット４０ｐ，４０ｑの下側端部は、スプリング４２ｐ…より、矢印Ｆｐ方向（図５参照）に付勢する。また、一方の支持ブラケット４０ｑには小ローラを用いた従動部４３ｆを取付けるとともに、操作レバー１４を支持するシャフト３３にはＤ形のカム部４３ｃを固定することにより、カム機構４３を構成する。この場合、従動部４３ｆは、シャフト４１と支持ブラケット４０ｑの下側端部間に配する。
【００２４】
これにより、操作レバー１４が非操作位置Ｘｏに位置する非操作時（非動作時）には、従動部４３ｆがカム部４３ｃの大径部に当接するため、図５に示すように、支持ブラケット４０ｐ…は反時計方向へ回動変位し、上ローラ部１２ｒは、上昇位置となるリリース位置Ｘｒに自動で変位している。これに対し、操作レバー１４を非操作位置Ｘｏから矢印Ｆｍ方向へ回動変位させれば、従動部４３ｆは、操作開始直後にカム部４３ｃの大径部から外れ、支持ブラケット４０ｐ…は、スプリング４２ｐ…により、図５中、時計方向（矢印Ｆｐ方向）へ回動変位する。この結果、上ローラ部１２ｒは、下ローラ機構１１に支持された棒金Ｍの上面に圧接し、棒金Ｍは上ローラ部１２ｒにより上から押さえられる。
【００２５】
このような棒金回転手段２を採用することにより、比較的簡易な構成により、棒金Ｍを確実かつ円滑に回転させることができる。また、回転駆動機構１３は、操作レバー１４の手動回動操作により各下ローラ部１１ａ，１１ｂを回転させる手動回転機構１３ｍにより構成したため、構成の簡易化に加え、軽量小型化及び低コスト化に寄与できるとともに、上ローラ機構１２には、回転駆動機構１３の非動作時に上ローラ部１２ｒを上方のリリース位置Ｘｒに自動で変位させるローラリリース機構１５を設けたため、棒体Ｍを処理位置Ｘｓに対して容易にセットすることができる。
【００２６】
他方、包装封止部切断手段３は、処理位置Ｘｓにセットされた棒金Ｍの周面Ｍｆに対して、所定角度Ｒｓで傾斜し、かつ圧接するカッタ１６ｐ，１６ｑを備える。この包装封止部切断手段３は、棒金回転手段２により回転する棒金Ｍの両端における包装封止部Ｗｐ，Ｗｑを所定の周面位置Ｋｐ，Ｋｑでそれぞれ切断する機能を有する。また、包装残部除去手段４は、棒金回転手段２により回転する棒金Ｍから繰り出される包装残部Ｗｒをガイドするスクレーパ１７ｐ，１７ｑを備える。この包装残部除去手段４は、包装封止部Ｗｐ，Ｗｑを切断した後の包装残部Ｗｒを棒金Ｍから除去する機能を有する。
【００２７】
この場合、鉛直シャーシ２２ｐと２２ｑ間にシャフト４４を回動自在に架設し、このシャフト４４に、上下に長い角棒状の支持ブロック４５ｐ，４５ｑの中間位置を固定する。なお、シャフト４４に対する各支持ブロック４５ｐ，４５ｑの固定位置は、固定ネジ４６ｐ，４６ｑの締緩により任意に変更することができ、これにより、棒金Ｍに対する切断位置を調整できる。また、支持ブロック４５ｐ，４５ｑの下端面には傾斜面を形成し、この傾斜面にスクレーパ１７ａ，１７ｂの中間位置を固定ネジ４７ｐ，４７ｑを用いて固定する。なお、棒金Ｍに対するスクレーパ１７ａ，１７ｂの突出長さは、固定ネジ４７ｐ，４７ｑの締緩により任意に変更（調整）することができる。さらに、支持ブロック４５ｐ，４５ｑの外側に位置する側面の下端には、カッタ１６ｐ，１６ｑを固定ネジ４８ｐ，４８ｑを用いて固定する。この場合、カッタ１６ｐ，１６ｑは、図４に示すように、処理位置Ｘｓにセットされた棒金Ｍの周面Ｍｆに対して所定角度Ｒｓで傾斜する。したがって、この所定角度Ｒｓは、固定ネジ４８ｐ，４８ｑの締緩により任意に変更（調整）することができる。一方、カッタ１６ｐ，１６ｑが棒金Ｍの周面Ｍｆに対して圧接するように、支持ブロック４５ｐ，４５ｑの上端をスプリング４９ｐ…により付勢する。これにより、カッタ１６ｐ…は、図５中、矢印Ｆｓ方向に付勢されるとともに、処理位置Ｘｓに対して若干入り込んだ位置で止まるように、不図示のストッパにより規制されている。
【００２８】
次に、本実施形態に係る棒金用包装解体装置１の使用方法及び動作について、図１〜図７を参照して説明する。
【００２９】
なお、棒金用包装解体装置１の解体対象となる棒金Ｍは、図６に示すように、一定枚数を積層した硬貨Ｃ…を一枚の紙材により巻寿司状に包むとともに、両端部を内側にカール（湾曲）した包装Ｗを有している。
【００３０】
まず、棒金Ｍを棒金用包装解体装置１の処理位置Ｘｓにセットする。この場合、上ローラ部１２ｒは、上昇位置となるリリース位置Ｘｒに変位しているため、棒金Ｍをハウジング２１の装填口２１ｉから内部に投入、即ち、図５に示すように、矢印Ｆｉ方向に棒金Ｍを投入するのみで、下ローラ部１１ａ，１１ｂの上面における処理位置Ｘｓにセット（載置）される。これにより、棒金Ｍの周面Ｍｆには、所定角度Ｒｓで傾斜したカッタ１６ｐ，１６ｑが圧接する。なお、このときの周面Ｍｆとカッタ１６ｐ，１６ｑの位置関係は、図６に示すようになる。
【００３１】
次いで、操作レバー１４を非操作位置Ｘｏから矢印Ｆｍ方向へ操作し、図２に示す操作終了位置Ｘｅまで回動変位させる。これにより、操作開始直後に、従動部４３ｆがカム部４３ｃの大径部から外れるため、支持ブラケット４０ｐ…は、スプリング４２ｐ…により、図５中、時計方向（矢印Ｆｐ方向）へ回動変位し、上ローラ部１２ｒは下ローラ機構１１に支持された棒金Ｍの上面に圧接する。これにより、図２に示すように、棒金Ｍは上ローラ部１２ｒにより上から押さえられる。また、操作レバー１４の回動変位により、この回動変位量は、シャフト３３，第一ギア部３４，小ギア部３５ｓ，大ギア部３５ｍ，第三ギア３６，第四ギア３７及び第五ギア３８，シャフト３１及び３２を介して増幅されることにより下ローラ部１１ａ及び１１ｂに伝達される。
【００３２】
この結果、処理位置Ｘｓの棒金Ｍは、所定方向（矢印Ｆｒ方向）に数回転するとともに、回転時には、カッタ１６ｐ，１６ｑにより包装Ｗにおける所定の周面位置Ｋｐ，Ｋｑが切断され、棒金Ｍの両端における包装封止部Ｗｐ，Ｗｑは、図１に示すように、リング状に切断される。なお、この周面位置Ｋｐ，Ｋｑは、支持ブロック４５ｐ，４５ｑの軸方向位置の変更（調整）により任意に設定できるため、切断された包装封止部Ｗｐ，Ｗｑが円滑に離間（落下）するように、硬貨Ｃ…の種類等に対応して予め設定する。
【００３３】
さらに、包装封止部Ｗｐ，Ｗｑが切断されることにより、棒金Ｍにおける包装残部Ｗｒは自然に解れる。即ち、包装残部Ｗｒは糊付けされていないため、包装封止部Ｗｐ，Ｗｑが切断されることにより、包装残部Ｗｒの巻終端部がめくれ上がり、スクレーパ１７ｐ，１７ｑに当接する。この結果、棒金Ｍの回転に伴い、包装残部Ｗｒは、スクレーパ１７ｐ，１７ｑによりガイドされ、順次後方に繰り出され、最終的に棒金Ｍから除去される。そして、除去された包装残部Ｗｒは、包装残部収容部２１ｓに落下して収容されるとともに、包装封止部Ｗｐ，Ｗｑ及び取出された硬貨Ｃ…は、トレイ部２１ｔに落下する。
【００３４】
他方、操作レバー１４を操作終了位置Ｘｅまで回動変位させたなら操作を解除する。これにより、操作レバー１４は、不図示のスプリングにより非操作位置Ｘｏに自動で復帰する。操作レバー１４が非操作位置Ｘｏに復帰することにより、従動部４３ｆはカム部４３ｃの大径部に当接する。この結果、支持ブラケット４０ｐ…は反時計方向へ回動変位し、上ローラ部１２ｒは、上昇位置となるリリース位置Ｘｒまで自動で変位する。この状態を図５に示す。
【００３５】
よって、このような本実施形態に係る棒金用包装解体装置１によれば、棒金Ｍを処理位置Ｘｓにセットした後、操作レバー１４を手動回動操作するのみの極めて容易な操作により、包装Ｗの解体から硬貨Ｃ…の取出まで全てを行うことができ、利便性及び使い勝手が高められる。また、単純操作により、硬貨Ｃ…を取出すまでの全てを行うことができるため、目的の硬貨Ｃ…を速やかに得ることができる。
【００３６】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３７】
例えば、棒金回転手段２，包装封止部切断手段３及び包装残部除去手段４は、それぞれ各手段の機能と同一の機能を有する他の手段により置換することができる。また、回転駆動機構１３として、手動回転機構１３ｍを例示したが駆動モータを利用した電動回転機構を用いてもよい。さらに、上ローラ機構１２に、上ローラ部１２ｒを自動で変位させるローラリリース機構１５を設けた場合を例示したが、棒体Ｍの装填時に手動でリリースさせてもよいし、棒金Ｍを上ローラ部１２ｒと下ローラ部１１ａ…間に押し込む装填方法を採用してもよい。したがって、上ローラ部１２ｒは、必ずしもリリースさせることを要しない。
【図面の簡単な説明】
【００３８】
【図１】本発明の最良の実施形態に係る棒金用包装解体装置における要部の構成を抽出して示す斜視図、
【図２】同棒金用包装解体装置における動作時の内部構造を示す側面図、
【図３】同棒金用包装解体装置の内部構造を示す背面図、
【図４】同棒金用包装解体装置におけるカッタ及びスクレーパの側面図、
【図５】同棒金用包装解体装置における非動作時の内部構造を示す側面図、
【図６】同棒金用包装解体装置の動作説明図、
【図７】同棒金用包装解体装置の他の動作説明図、
【符号の説明】
【００３９】
１      棒金用包装解体装置
２      棒金回転手段
３      包装封止部切断手段
４      包装残部除去手段
１１    下ローラ機構
１１ａ…  下ローラ部
１２    上ローラ機構
１２ｒ  上ローラ部
１３    回転駆動機構
１３ｍ  手動回転機構
１４    操作レバー
１５    ローラリリース機構
１６ｐ…  カッタ
１７ｐ…  スクレーパ
Ｍ      棒金
Ｍｆ    棒金の周面
Ｗ      包装
Ｗｐ…  包装封止部
Ｗｒ    包装残部
Ｃ…    硬貨
Ｋｐ…  周面位置
Ｘｓ    処理位置
Ｘｒ    リリース位置
Ｒｓ    所定角度
【図１】
2005346620.tif 000003
【図２】
2005346620.tif 000004
【図３】
2005346620.tif 000005
【図４】
2005346620.tif 000006
【図５】
2005346620.tif 000007
【図６】
2005346620.tif 000008
【図７】
2005346620.tif 000009